(57)【要約】【課題】ユーザーが情報媒体等を確認して自分の意思でその情報媒体に関連した情報に簡便かつ正確にアクセス可能であり、さらには情報媒体を容易かつ安価に更新（交換）することが可能なシステム、装置・方法を提供する。【解決手段】ユーザーが近接無線端末でアクセスする情報に対して該当情報媒体に識別子を設けておき、その情報媒体が更新（交換）された際にこの識別子を読み込むことで容易に新たな情報媒体の特定を可能とし、さらにこのユーザーアクセス情報及びユーザーの意思と情報媒体に関連した情報を、無線を使ってサーバーに送信することによりネットワークを介して総合的及び一元的にサーバーで管理する。【選択図】  図１
2010244522.tif 000002
【特許請求の範囲】
【請求項１】
情報告知用の情報媒体と組み合わせてユーザーが該情報に対して承諾、依頼あるいは選択といった意思を発信する意思伝達手段としての該情報媒体の情報にアクセスする近接無線端末と近接無線通信装置、サーバーから構成されるシステムにおいて、ユーザーの近接無線端末のアクセス管理をするサーバーと該サーバーと該ユーザーの近接無線端末を接続するために近接無線装置から構成される第１の無線通信手段、近距離無線通信から構成される第２の無線通信手段、公衆無線回線から構成される第３の無線通信手段から構成されユーザーの近接無線端末と該サーバーとを接続し、予め設定された処理をサーバーで行うことを特徴とする近接無線端末管理システム
【請求項２】
前記ユーザーの近接無線端末がアクセスする近接無線通信は前記近接無線端末のＩＤが取り込まれ前記サーバーに送信されることを特徴とする特許請求範囲第１項記載の近接無線端末管理システム
【請求項３】
前記ユーザーの近接無線端末がアクセスする際の天候情報、時間情報、交通情報、地域情報から選ばれた少なくとも１つの情報をアクセス情報に付加し該アクセス情報をサーバーに送ることを特徴とする特許請求範囲第１項記載の近接無線端末管理システム
【請求項４】
前記情報は広告であり前記情報媒体は広告媒体であり、サーバーの処理は広告効果測定、あるいは該当情報を予め登録された場所に送信することを特徴とする特許請求範囲第１項記載の近接無線端末管理システム
【請求項５】
前記サーバー処理は入退出管理であり前記情報媒体は入室退出案内情報媒体であることを特徴とする特許請求範囲第１項記載の近接無線端末管理システム
【請求項６】
前記サーバー処理は勤怠管理処理であり前記情報媒体は勤怠管理案内情報媒体であることを特徴とする特許請求範囲第１項記載の近接無線端末管理システム
【請求項７】
前記サーバー処理は必要情報配信処理であり、前記情報媒体は必要情報名表示ボードであることを特徴とする特許請求範囲第１項記載の近接無線端末管理システム
【請求項８】
前記サーバー処理は人員管理処理であり前記情報媒体はグループ表示情報媒体であることを特徴とする特許請求範囲第１項記載の近接無線端末管理システム
【請求項９】
情報告知用の情報媒体と組み合わせてユーザーが該情報に対して承諾、依頼あるいは選択といった意思を発信する意思伝達手段としての該情報媒体の情報にアクセスする該ユーザーの近接無線端末、該近接無線端末とアクセスするため通信する近接無線通信装置、該アクセスの管理及び処理をするサーバーから構成されるシステムにおいて、前記情報をユーザーに告知する情報媒体に識別子を設け、該近接無線通信装置には前記識別子を読み取る識別子読み取り手段を有しさらに該近接無線通信装置と前記サーバーは通信手段で接続され、予め設定された処理をサーバーで行うことを特徴とする近接無線端末管理システム
【請求項１０】
前記ユーザーの近接無線端末がアクセスする近接無線通信は前記近接無線端末のユーザーの近接無線端末のＩＤが読みこまれ、識別子読み取り手段は前記情報媒体の識別子である前記情報媒体ＩＤを読みこまれ、該近接無線端末のＩＤおよび該情報媒体ＩＤがサーバーに送信されることを特徴する特許請求範囲第９項記載の近接無線端末管理システム
【請求項１１】
前記近接無線通信装置と前記サーバーを接続する通信手段は公衆無線通信手段であることと特徴とする特許請求範囲第９項記載の近接無線通信装置と前記サーバー
【請求項１２】
前記近接無線通信装置と前記サーバーの通信手段は第１の通信手段と第２の通信手段から構成され第１の通信手段は複数の前記近接無線通信装置と第１の近距離無線通信手段の基地局と接続する近距離無線通信手段から構成され第２の通信手段は第１の近距離無線基地局とサーバーを接続する無線若しくは、有線の公衆回線、又は専用回線から構成されることを特徴とする特許請求範囲第９項記載の近接無線端末管理システム
【請求項１３】
前記ユーザーの近接無線端末がアクセスする際の天候情報、時間情報、交通情報、地域情報から選ばれた少なくとも１つの情報をアクセス情報に付加し該アクセス情報をサーバーに送ることを特徴とする特許請求範囲第９項記載の近接無線端末管理システム
【請求項１４】
前記情報は広告であり前記情報媒体は広告媒体であり、サーバーの処理は広告効果測定、あるいは該当情報を予め登録された場所に送信することを特徴とする特許請求範囲第９項記載の近接無線端末管理システム
【請求項１５】
前記サーバー処理は入退出管理であり前記情報媒体は入室退出案内情報媒体であることを特徴とする特許請求範囲第９項記載の近接無線端末管理システム
【請求項１６】
前記サーバー処理は勤怠管理であり前記情報媒体は勤怠管理案内情報媒体であることを特徴とする特許請求範囲第９項記載の近接無線端末管理システム
【請求項１７】
前記サーバー処理は必要情報配信処理であり、前記情報媒体は必要情報名表示ボードであることを特徴とする特許請求範囲第９項記載の近接無線端末管理システム
【請求項１８】
前記サーバー処理は人員管理処理であり前記情報媒体はグループ表示情報媒体であることを特徴とする特許請求範囲第９項記載の近接無線端末管理システム
【請求項１９】
前記識別子は前記情報媒体に印刷又は貼り付けされ前記識別子読み取り手段は光学的読取手段であることを特徴とする特許請求範囲第９項記載の近接無線端末管理システム
【請求項２０】
前記識別子は電子識別子でありメモリに格納されており前記識別子読み取り手段は近接無線あるいは接点により前記近接無線通信装置に取り込まれることを特徴とする特許請求範囲第９項記載の近接無線端末管理システム
【請求項２１】
前記識別子は前記情報媒体の固有の情報を電子データとしたことを特徴とする特許請求範囲第９項記載の近接無線端末管理システム
【請求項２２】
前記サーバーには情報媒体の識別子であるＩＤに対応した情報データーベースを有し前記情報媒体の情報ＩＤはサーバーに送信され該情報データーベースより該当ＩＤに対応する情報を抽出し前記近接無線通信装置に送信蓄積され、必要に応じてユーザーの近接無線端末に送信されることを特徴とする特許請求範囲第９項記載の近接無線端末管理システム
【請求項２３】
情報告知用の情報媒体と組み合わせてユーザーが該情報に対して承諾、依頼あるいは選択といった意思を発信する意思伝達手段としての該情報媒体の情報にアクセスする近接無線端末と通信する近接無線通信装置、前記情報媒体に識別子を設け、前記近接無線通信装置には前記識別子を読み取る識別子識別子読み取り手段を有することを特徴とする情報アクセス近接無線端末接続方法および装置
【請求項２４】
前記ユーザーの近接無線端末がアクセスする前記近接無線通信装置は前記近接無線端末のＩＤを読み取り、さらに識別子読み取り手段は前記情報媒体の識別子である前記情報媒体
ＩＤを読み取ることを特徴する特許請求範囲第２３項記載の情報アクセス近接無線端末接続方法および装置
【請求項２５】
前記識別子は前記情報媒体に印刷又は貼り付けされ前記識別子読み取り手段は光学的読取手段であることを特徴とする特許請求範囲第２３項記載の情報アクセス近接無線端末接続方法および装置
【請求項２６】
前記識別子は電子識別子でありメモリに格納されており前記識別子読み取り手段は近接無線あるいは接点により前記近接無線通信装置に取り込まれることを特徴とする特許請求範囲第２３項記載の情報アクセス近接無線端末接続方法および装置
【請求項２７】
前記識別子は前記情報媒体の固有の情報を電子データとしたことを特徴とする特許請求範囲第２３項記載の情報アクセス近接無線端末接続方法および装置
【発明の詳細な説明】
【技術分野】
【０００１】
本発明は、非接触ＩＣカード（携帯電話に搭載しているものも含む）、ＲＦＩＤ（ＲａｄｉｏＦｒｅｑｕｅｎｃｙ ＩＤｅｎｔｉｆｉｃａｔｉｏｎ：電波方式認識）といわれてい
る個人が所有している近接無線端末により情報にアクセスすることによって個人の意思を表明する際の情報収集する方法で、情報の提供等に対してアクセス状況の収集管理のシステム、さらには情報アクセス近接無線端末接続方法および装置に関する。
【背景技術】
【０００２】
近年ＦｅｌｉＣａ（登録商標）などの非接触ＩＣカード（携帯に搭載も含む）あるいはミューチップ（登録商標）などといったＲＦＩＤといわれる近接無線端末が普及してきている。こういった近接無線端末では例えばＳｕｉｃａ（登録商標）といった非接触ＩＣカードは鉄道の電子キップ、電子定期券としてばかりではなくＳｕｉｃａリーダーライター（ＲＷ）のある店等では電子マネーとして使える機能も有しており広く普及してきている。
【０００３】
また流通分野では無線通信機能とROM機能しか持たない単純なチップ構成である安価なミ
ューチップ等のＲＦＩＤが提案されており安価で手軽という機能を活かして商品の流通履歴を確認するといた使い方等が提案されている。こういった近接無線端末は安価で電子的なアクセスを手軽にやり取りできるユーザーの端末であり今後も更なる普及が期待される。
【０００４】
近接無線端末はその構造からごく近傍でしたか接続ができないため近距離無線のように複数の無線端末が反応してしまうということが少なく必要な情報に一対一のアクセスが可能となる。こういった特性から入室退出管理等にも使われ出している。
【０００５】
またこういった近接無線端末を広告分野で使おうとする試みがなされてきている。例えば特開２００６−３１５３１号００３２においてはユーザーがポスターに目を止めて、当該ポスターに対して自身が所有する携帯電話端末（ＭＰ）をかざすと、当該携帯電話端末（ＭＰ）の非接触情報記憶媒体（ＲＦＩＤ）に登録されたＩＤ等がポスターの背面板に埋設されたリーダーライター（ＲＷ）によって読み出される。
【０００６】
そして、リーダーライター制御部（ＲＷＣ）は、読み出したＩＤをそのリーダーライター識別番号とともにネットワーク（ＮＷ）を介して情報管理サーバー（ＩＳＶ）に送信する。というように記述されているが、例えば広告といったポスターはよく更新される。更新される場合にそれぞれのポスター背面板に埋設されたリーダーライター（ＲＷ）ごと取り替える必要が生じる。あるいは別途登録したポスターを予め決められた背面板（リーダーライター識別番号）の部分に貼るといった手順をとる必要があるがこういった方法では間違い等の発生の可能性があり機動的な広告ポスターを貼るといった手法がとれないうえ、手間のかかる工事等が必要であるという欠点があった。
【０００７】
【特許文献１】特開２００６−３１５３１号
【発明の開示】
【発明が解決しようとする課題】
【０００８】
本発明の目的は、上記の問題点に鑑みなされたものであり、ユーザーが情報媒体等を確認してその情報媒体に関連した情報に容易で簡便かつ正確にアクセスできさらには安価に情報媒体を更新することが可能なシステム、装置・方法を提供することを目的としている。
【０００９】
またこういったユーザーの近接無線端末のアクセス状況をリアルタイムで把握可能なシステムの提供を目的とし、さらにユーザーの近接無線端末のアクセス状況を管理するシステムを手間のかかる工事等が必要ないシステムを提供することを目的としている。
【課題を解決するための手段】
【００１０】
前述の課題を解決するために本発明者は鋭意研究の結果以下の手段をとった。すなわちユーザーがＦｅｌｉＣａ（登録商標）などの非接触ＩＣカード（ＦｅｌｉＣａ等の非接触ＩＣを搭載した携帯含む）等の近接無線端末を使用し視覚的な情報媒体に興味を持った際に情報告知用の情報媒体と組み合わせてユーザーが該情報に対して承諾、依頼あるいは選択といった意思を発信する意思伝達手段としての該情報媒体の情報にアクセスする近接無線端末と近接無線通信装置、サーバーから構成されるシステムにおいて、ユーザーの近接無線端末のアクセス管理をするサーバーとこのサーバーとユーザーの近接無線端末を接続するために近接無線装置から構成される第１の無線通信手段、近距離無線通信から構成される第２の無線通信手段、公衆無線回線から構成される第３の無線通信手段から構成してユーザーの近接無線端末とサーバーとを接続し、予め設定された処理をサーバーで行うようにすればよい。
【００１１】
ユーザーの近接無線端末がアクセスする近接無線通信はユーザーの近接無線端末のＩＤが取り込まれサーバーに送信されればよい。そしてユーザーの近接無線端末がアクセスする際の天候情報、時間情報、交通情報、地域情報から選ばれた少なくとも１つの情報をアクセス情報に付加しユーザーのアクセス情報をサーバーに送るようにすればユーザーのアクセス時の外縁状況がサーバーで把握することが可能となる。
【００１２】
そして情報媒体の情報は広告であり情報媒体は広告媒体であり、サーバーの処理は広告効果測定、あるいは該当情報を予め登録された場所に送信するようにすればよく、このシステムにすることにより広告のアクセス状況がリアルタイムでサーバーで把握することが可能となる。さらに無線を使っているため特別な配線工事をする必要がなく容易に広告アクセスシステムを構築することが可能となる。
【００１３】
サーバー処理は入退出管理であり情報媒体は入室退出案内情報媒体とすることによって広告と同様に特別な配線などの必要がないため工事現場、イベント会場等にも適用可能であり、さらに学校あるいは塾といった場所にも安価で構築可能となる。
【００１４】
またタイムカード等の勤怠管理にも適用可能でありこの場合サーバー処理は勤怠管理処理であり情報媒体は勤怠管理案内情報媒体とすることによってタイムカード等の勤怠管理のシステムが安価で容易に構築可能となりさらに勤怠の集計がサーバーで容易にできるため各現場で複雑な集計をする必要がなくなる。
【００１５】
本システムは展示会等の参加者の情報収集等にも使うことが可能であり、この場合のサーバー処理は必要情報配信処理であり、前述の情報媒体は必要情報名表示ボードであればよい。展示会の参加者は展示品に興味があった場合自分の近接無線端末をタッチすることにより必要情報が容易に収集可能となる。
【００１６】
本システムは人員点呼等の人員管理処理にも適用可能でありサーバー処理は人員管理処理であり情報媒体はグループ名表示情報媒体であるようにすればよい。
【００１７】
ユーザーがＦｅｌｉＣａ（登録商標）などの非接触ＩＣカード（ＦｅｌｉＣａ等の非接触ＩＣを搭載した携帯含む）等の近接無線端末を使用し視覚的な情報媒体に興味を持った際に情報告知用の情報媒体と組み合わせてユーザーが該情報に対して承諾、依頼あるいは選
択といった意思を発信する意思伝達手段としての該情報媒体の情報にアクセスする近接無線端末と近接無線通信装置、このアクセスの管理及び処理をするサーバーから構成されるシステムにおいて、情報をユーザーに告知する情報媒体に識別子を設け、この近接無線通信装置にはこの識別子を読み取る識別子読み取り手段を有しさらにこの近接無線通信装置と前述のサーバーは通信手段で接続され、予め設定された処理をサーバーで行うようにすればよい。
【００１８】
前述のユーザーの近接無線端末がアクセスする近接無線通信は近接無線端末のユーザーの近接無線端末のＩＤが読みこまれ、識別子読み取り手段は前述の情報媒体の識別子である情報媒体ＩＤを読みこまれ、近接無線端末のＩＤおよび該当情報媒体ＩＤがサーバーに送信されるようにすればよい。そしてこのＩＤの電子データは非常に小さいためネットにほとんど負担をかけることはない。また近接無線通信装置と前述のサーバーを接続する通信手段は公衆無線通信手段をもちいればよい。
【００１９】
前述の近接無線通信装置と前述のサーバーの通信手段は第１の通信手段と第２の通信手段から構成され第１の通信手段は複数の前述の近接無線通信装置と第１の近距離無線通信手段の基地局と接続する近距離無線通信手段から構成され第２の通信手段は第１の近距離無線基地局とサーバーを接続する無線公衆回線、有線公衆回線、あるいは専用回線から構成されるようにすればよい。
【００２０】
ユーザーの近接無線端末がアクセスする際の天候情報、時間情報、交通情報、地域情報から選ばれた少なくとも１つの情報をアクセス情報に付加しユーザーのアクセス情報をサーバーに送るようにすればユーザーのアクセス時の状況がサーバーで把握することが可能となる。
【００２１】
そして情報媒体の情報は広告であり情報媒体は広告媒体であり、サーバーの処理は広告効果測定、あるいは該当情報を予め登録された場所に送信するようにすればよく、このシステムにすることにより広告のアクセス状況がリアルタイムでサーバーで把握することが可能となる。さらに無線を使っているため特別な配線工事をする必要がなく容易に広告アクセスシステムを構築することが可能となる。またサーバーで収集したユーザーＩＤは該当広告に興味を持っている人たちであるから予め登録してあれば、該当広告の情報を興味のある人たちに配信することが、予め登録された場所に送信することによって可能となる。
【００２２】
サーバー処理は入退出管理であり情報媒体は入室退出案内情報媒体とすることによって広告と同様に特別な配線などの必要がないため工事現場、イベント会場等にも適用可能であり、さらに学校あるいは塾といった場所にも安価で構築可能となる。
【００２３】
またタイムカード等の勤怠管理にも適用可能でありこの場合サーバー処理は勤怠管理処理であり情報媒体は勤怠管理案内情報媒体とすることによってタイムカード等の勤怠管理のシステムが安価で容易に構築可能となりさらに勤怠の集計がサーバーで容易にできるため各現場で複雑な集計をする必要がなくなる。
【００２４】
本システムは展示会等の参加者の情報収集等にも使うことが可能であり、この場合のサーバー処理は必要情報配信処理であり、前述の情報媒体は必要情報名表示ボードであればよい。展示会の参加者は展示品に興味があった場合自分の近接無線端末をタッチすることにより必要情報が容易に収集可能となる。
【００２５】
本システムは人員点呼等の人員管理処理にも適用可能でありサーバー処理は人員管理処理であり情報媒体はグループ名表示情報媒体であるようにすればよい。
【００２６】
前述の識別子は前述の情報媒体に印刷又は貼り付けされこの識別子読み取り手段は光学的読取手段とすればよい。印刷される識別子はバーコードあるいはＱＲコードなどの２次元コードとすればよい。読み取り方法は近接無線通信装置にカメラを搭載し解析すればよく、更新されると自動的に読み取るあるいはユーザーのアクセスの際に読み取ればよい。あるいは外付けで情報お媒体が新しく更新（ポスターのはりかえ時）担当者が光学読み取り装置で読み取り近接無線通信装置に転送のどちらでもよい。
【００２７】
あるいは情報媒体に設けられた識別子は電子識別子でありメモリに格納されており前述の識別子読み取り手段は近接無線あるいは接点により近接無線通信装置に取り込まれるようにすればよい。識別子としてはミューチップ等のＲＦＩＤ、ＦｅｌｉＣａあるいは接点式（接点式ＩＣカードと同様の構造）とすればよい。
【００２８】
読み取り方法は近接無線通信装置に搭載して、更新されると自動的に読み取る構造、あるいはユーザーのアクセスの際に読み取る構造あるいは外付けで情報お媒体が新しく更新（ポスターのはりかえ時）担当者が読み取り装置で読み取り近接無線通信装置に転送のどちらでもよい。近接無線の場合ユーザーの近接無線端末と通信する近接無線通信装置に設けてある近接無線通信部と兼ねてもよくあるいは別体でもよい
【００２９】
あるいは情報媒体に設けられた識別子は情報媒体の固有の情報（例えばポスターの商品情報、Ｈ／Ｐアドレスといった情報）を電子データとしてもよい。この場合ユーザーの近接無線端末にこの情報を蓄積し必要に応じてユーザーがこの情報をパソコン等を使って取り出せばよい。
【００３０】
サーバーには情報媒体の識別子であるＩＤに対応した情報データーベースを設けておき、情報媒体の情報ＩＤはサーバーに送信され該当情報データーベースより該当ＩＤに対応する情報を抽出し前述の近接無線通信装置に送信蓄積され、必要に応じてユーザーの近接無線端末に送信されるようにすればよい。こういったシステムとすることにより例えば雑誌等の広告情報媒体に付属の近接無線通信装置から近接無線（非接触ＩＣ）搭載の携帯電話等で課金決済を含めて雑誌のコンテンツを購入することが可能となる。
【００３１】
ユーザーがＦｅｌｉＣａ（登録商標）などの非接触ＩＣカード（ＦｅｌｉＣａ等の非接触ＩＣを搭載した携帯含む）等の近接無線端末を使用し視覚的な情報媒体に興味を持った際に情報告知用の情報媒体と組み合わせてユーザーが該情報に対して承諾、依頼あるいは選択といった意思を発信する意思伝達手段としての該情報媒体の情報にアクセスする近接無線端末と近接無線通信装置から構成され、前述の情報媒体に識別子を設け、前述の近接無線通信装置にはこの識別子を読み取る識別子識別子読み取り手段を設けて置けばよい。
【００３２】
前述のユーザーの近接無線端末がアクセスする近接無線通信は近接無線端末のユーザーの近接無線端末のＩＤが読みこまれ、識別子読み取り手段は前述の情報媒体の識別子である情報媒体ＩＤを読みこまれるようにすればよい。
前述の識別子は前述の情報媒体に印刷又は貼り付けされこの識別子読み取り手段は光学的読取手段とすればよい。印刷される識別子はバーコードあるいはＱＲコードなどの２次元コードとすればよい。読み取り方法は近接無線通信装置にカメラを搭載し解析すればよく、更新されると自動的に読み取るあるいはユーザーのアクセスの際に読み取ればよい。あるいは外付けで情報お媒体が新しく更新（ポスターのはりかえ時）担当者が光学読み取り装置で読み取り近接無線通信装置に転送のどちらでもよい。
【００３３】
あるいは情報媒体に設けられた識別子は電子識別子でありメモリに格納されており前述の識別子読み取り手段は近接無線あるいは接点により近接無線通信装置に取り込まれるようにすればよい。識別子としてはミューチップ等のＲＦＩＤ、ＦｅｌｉＣａあるいは接点式
（接点式ＩＣカードと同様の構造）とすればよい。読み取り方法は近接無線通信装置に搭載して、更新されると自動的に読み取る構造、あるいはユーザーのアクセスの際に読み取る構造あるいは外付けで情報お媒体が新しく更新（ポスターのはりかえ時）担当者が読み取り装置で読み取り近接無線通信装置に転送のどちらでもよい。近接無線の場合ユーザーの近接無線端末と通信する近接無線通信装置に設けてある近接無線通信部と兼ねてもよくあるいは別体でもよい
【００３４】
あるいは情報媒体に設けられた識別子は情報媒体の固有の情報（例えばポスターの商品情報、Ｈ／Ｐアドレスといった情報）を電子データとしてもよい。この場合ユーザーの近接無線端末にこの情報を蓄積し必要に応じてユーザーがこの情報をパソコン等を使って取り出せばよい。
【発明の効果】
【００３５】
以上説明したように本発明によれば本システムでは、視覚的な情報媒体をユーザーが興味を示した場合ユーザーの持つＦｅｌｉＣａ等の非接触ＩＣカード（ＦｅｌｉＣａ等の非接触ＩＣ搭載の携帯電話含）などの近接無線端末を利用してこの近接無線端末でユーザーがアクセスしたアクセス情報すなわちユーザーの意思の表明を効率的に取得できるものである。既に多数発行済みのＦｅｌｉＣａ等の非接触ＩＣカード（ＦｅｌｉＣａ等の非接触ＩＣ搭載の携帯電話含）などの近接無線端末である既存ユーザーの近接無線端末を利用するため、ユーザーに対しては特別な投資は必要なく利用でき、またユーザーのアクセス情報は専ら一方向に必要最低限な情報を最小限の大きさのデータとして流しているので回線に大きな負担をかけることもなくインターネットのような双方向による時間ロスは発生しない。瞬時にユーザーの意思表明である情報発信が行われかつ短時間でその情報の収集が可能で効率的であり、例えば広告の効果といったものがリアルタイムで把握可能となる。
【００３６】
パソコン・携帯電話・その他の情報端末のような特別な取り扱いの難しい装置は必要なく老若男女誰もが簡単に持つことが出来、操作方法等も特段覚える必要もないためほとんどの人たちは、今日から即座に簡単に便利に情報の自分の意思の伝達が可能となる。さらに情報媒体を交換しても該当情報に関する電子情報も同時に交換可能であるので頻繁に変わる情報に対しても効率的かつ迅速に対応可能となる。またサーバーとの接続を無線を通じて行うため複雑な配線工事等も必要なく低コストであるため、簡易で安価なシステム構築が可能となっている。また情報媒体にユニークな識別コードを搭載しているため、情報媒体の更新（交換）をすることでしても瞬時に更新情報が反映され近接無線端末ユーザーの５Ｗ１Ｈ等の情報と関連付けたマーケティング情報戦略として利用可能である
【００３７】
情報媒体の交換機能により、広告管理・入退室管理・マーケティング管理・労務管理、工程管理等の様々な用途に利用出来、提供できるアプリケーションは限りなく広い分野で応用することが出来る。さらに近接無線使用ということでユーザーの意思表明がしっかりと確認される。また同様の形式で多種多様の用途に使えるため大量生産が可能となり、安価に装置、システムが提供可能となる。
【発明を実施するための最良の形態】
【００３８】
以下に本発明を実施するための最良の形態について図に基づいて詳細に説明していく。
【００３９】
図１は本発明の一例を示す全体の概要図であり、ユーザーの持っている非接触ＩＣカード等からなる近接無線端末１０９のアクセスを無線公衆回線１１１および近距離無線１１０で管理サーバー１０１と接続するシステム全体のブロック図である。ここで１０１は管理サーバーであり無線公衆回線の基地局１０２を通じて現場管制装置１０３と接続されている。現場管制装置１０３は無線公衆回線現場送受信部１０４およびＺｉｇＢｅｅ（登録商標）等からなる近距離無線基地局１０５とから構成されている。１０６は広告などの情報
媒体を取り付けるための近接無線通信装置であり、現場管制装置１０５とはＺｉｇＢｅｅ等の近距離無線で接続される。近接無線通信装置１０６はＺｉｇＢｅｅ等の近距離無線の送受信部１０７およびユーザーの近接無線端末１０９と接続する近接無線端末接続部１０８から構成されている。
【００４０】
次に現場管制装置１０３をさらに詳しく説明するが図２はその様子を示しており、１０４は無線公衆回線現場送受信部、１０５は近距離無線基地局であり複数の近接無線通信装置１０６との接続を行っている。２０２は現場管制の各種処理を行う処理部であり１０５の近距離無線基地局に図1の１０６の近距離無線装置１０７と接続され情報のやり取りを行
い各種処理を行って必要に応じて１０４の無線公衆回線現場送受信部を通じて管理サーバー１０１と接続し情報のやりとりを行う。
【００４１】
ここでは現場管制装置１０３と近接無線通信装置１０６は別体であったが、近接無線通信装置のグループの１つは両方すなわち近接無線通信装置と現場管制装置の両者の機能を持っていてもよい。次に情報媒体に備え付けられている近接無線通信装置１０６についてさらに詳しく説明する。
【００４２】
広告などの情報媒体は頻繁に更新されるので情報媒体に識別子を設ける場合について説明するがその様子が図３のそのブロック図である。ＺｉｇＢｅｅ近距離無線の送受信部１０７は現場管制装置１０３と接続する送受信部で、ユーザーの近接無線端末１０９は近接無線端末接続部１０８により接続される。３０６は情報媒体でありミューチップ（登録商標）からなるＲＦＩＤの識別子３０７を有している。３０５はこのＲＦＩＤ情報を読み取るリーダー部であり、情報媒体のＲＦＩＤである３０７の情報を読み取る。３０２は近接無線通信装置の処理部であり、ＺｉｇＢｅｅ近距離無線の送受信部１０７、近接無線端末接続部１０８およびＲＦＩＤ情報を読み取るリーダー部３０５と接続され必要な処理を行う。ここでは識別子であるＲＦＩＤをミューチップ（登録商標）としたがこれに限られるものではなくＲＦＩＤの識別子の機能を持つものであればよい。
【００４３】
次に情報媒体と識別子の部分をさらに詳しく説明するが、図４はポスター広告である情報媒体とミューチップからなるＲＦＩＤ識別子および近接無線通信装置を説明した図である。ここで４０１はポスターを貼るパネルであり、近接無線端末リーダー部３０５を設置している近接無線通信装置であり、４０２はポスターでその一部にミューチップＲＦＩＤ部３０７部がある。前述したようにこのＲＦＩＤ部を図３のリーダー部３０５で情報媒体の識別子を読み取ることによって情報媒体を識別することが可能となる。
【００４４】
次に情報の流れについて図５に基づいて説明するがユーザーの近接無線端末がアクセスされた時の流れの図が図５である。図1および図3のユーザーの近接無線端末１０９のユーザーＩＤ（ＵＩＤ）は近接無線リーダー１０９により近接無線通信装置１０６に読み込まれるがこの流れは図５の５０１に示した。図３、図４のＲＦＩＤである情報媒体識別子３０７に格納されたの情報媒体ＩＤ（ＩＩＤ）は３０６の近接無線リーダー部によって近接無線通信装置１０６に読み込まれるがこの流れは図５の５０２に示した。この情報媒体ＩＤ（ＩＩＤ）およびユーザーＩＤ（ＵＩＤ）は現場管制装置１０３を通じて図１の近距離無線通信（図１の１１０）を通じて５０３で近距離無線基地局（図１の１０５）に送信され、さらに無線公衆回線現場送受信部（図1の１０４）を通じて無線公衆回線基地局１０２
送信されさらにサーバー（図1の１０１）に送信されるがこれは５０４である。
【００４５】
更新したポスター等からなる媒体情報のＲＦＩＤの読込方法について説明するが、そのフローを図６に示した。ここで６０１はポスターに添付してあるＲＦＩＤ情報を近接無線通信装置（図1の１０６）に読み込む。次に６０２において近接無線通信装置のストレージ
６０５に格納してある格納された情報媒体ＩＤを読み出し１０３でこの両者の比較を行う
。そして一致している場合は終了し、不一致の場合は１０６の情報媒体ＩＤを書き換える。この情報媒体ＩＤの更新はユーザーのアクセスのあった場合その都度あるいは更新が行われた場合のどちらでもよい。また近距離無線でＺｉｇＢｅｅを使用しているがこれに限られるものではなく例えば無線ＬＡＮ、ブルートゥースといった他の近距離無線でもよい。ここでは情報媒体のＲＦＩＤ情報を近接無線装置のストレージ６０５に格納したが、これに限られるものではなく、ユーザーの近接無線端末が近接無線装置にアクセスした際にその都度情報媒体のＲＦＩＤを読みにいっても効果は同様である。
【００４６】
ここではユーザーの近接無線端末が近接無線通信装置にアクセスした際にユーザーＩＤ（ＵＩＤ）および情報媒体ＩＤ（ＩＩＤ）をサーバーに送信しているが必要に応じてアクセスした時間、あるいは近接無線通信装置に温度、気圧等の天候情報センサーを設けておきこのセンサーが感知した天候情報、交通量センサーを設けておきこのセンサーが感知した交通量情報といった情報、近接無線通信装置に予め登録しておいた地域情報をアクセス情報と共に送信してもよい。
【００４７】
サーバーにおいては各種処理が考えられるが、例えばユーザーＩＤに対応して予めメールアドレスが登録されている場合にはユーザーがアクセスした広告の詳細情報を送るといった処理をすればよい。また広告に対するユーザーのアクセスの把握がリアルタイムでわかりさらに時間、場所といった情報も取得可能であるため広告の効果を測定することが可能となる。広告の場合予めユーザーの情報を登録してあれば該当ユーザーに該当広告の詳細情報を配信することも可能となる。
【００４８】
情報の流れは前述に限られるものではなく他の方法について説明するが、ここではどの近接無線通信装置にユーザーがアクセスしたかという情報も含めたアクセス情報をサーバーで取得する場合でありその流れを図７に示した。ユーザーの近接無線端末ＩＤ（ＵＩＤ）はリーダーライターにより読み込まれるがこの流れが７０１である。情報媒体の識別子である情報媒体ＩＤ（ＩＩＤ）はリーダーで読み込まれるこの流れが７０２で、この２つの情報媒体ＩＤ（ＩＩＤ）とユーザー近接無線端末（ＵＩＤ）にさらに近接無線通信装置のＩＤ（ＳＩＤ）を加えたものを近接無線通信装置（図１、３の１０６）から現場管制装置（図１、３の１０３）に送信されるがこの流れは７０３である。そして現場管制装置からサーバー（図１の１０１）に送信されるがこれは７０４である。こうすることによりサーバーではどの広告をどのユーザーがどこの近接無線通信装置でアクセスしたかわかる。
【００４９】
ここではユーザーの近接無線端末が近接無線通信装置にアクセスした際にユーザーＩＤ（ＵＩＤ）、情報媒体ＩＤ（ＩＩＤ）および近接無線通信装置ＩＤ（ＳＩＤ）のアクセス情報をサーバーに送信しているが先ほどと同様に必要に応じてアクセスした時間、あるいは近接無線通信装置に温度、気圧等の天候情報センサーを設けておきこのセンサーが感知した天候情報、交通量センサーを設けておきこのセンサーが感知した交通量情報といった情報近接無線通信装置に予め登録しておいた地域情報をアクセス情報と共に送信してもよい。こうすることによりサーバーではいつどこでだれがどの広告に興味を持ったかといった分析することが可能となる。
【００５０】
ここでは近接無線通信装置からサーバーの接続を公衆無線回線で行っているがこれに限られるものではなく光通信といった有線でもよい。
【００５１】
次にユーザーのアクセス情報を直接サーバーに送る場合について説明する。ユーザーの持っている非接触ＩＣカード（ＦｅｌｉＣａ等の非接触ＩＣを搭載した携帯電話等も含）である近接無線端末８０６のアクセスを無線公衆回線８１１によりサーバー８０１と接続する。ここで８０１は管理サーバーであり無線公衆回線の基地局８０２を通じて近接無線通信装置８０５の無線公衆回線送受信部８０３と交信する。８０８はポスターでありポスタ
ーには先ほどと同様にＲＦＩＤからなる識別子８１０を有しており、近接無線通信装置８０５のＲＦＩＤリーダー８０９によって識別子は読み込まれる。ユーザーの近接無線端末８０６は近接無線通信装置にアクセスすることにより近接無線通信装置８０５のリーダーライター部８０４のより接続される。情報の流れは図９に示したがユーザーが近接無線端末（図８の８０６）でアクセスした際に９０１でユーザーＩＤが近接無線装置（図８の８０５）のリーダーライター部８０４により読み込まれる。情報媒体ＩＤは９０２で近接無線通信装置（図８の８０５）のＲＦＩＤリーダー（図８の８０９）に読みこまれ近接無線通信装置（図８の８０５）にユーザーＩＤ及び情報媒体ＩＤの両者が読み込まれこの情報媒体ＩＤ（ＩＩＤ）およいユーザーＩＤ（ＵＩＤ）が９０３において衆無線回線を通じてサーバーに送信される。
【００５２】
ここではユーザーの近接無線端末が近接無線通信装置にアクセスした際にユーザーＩＤ（ＵＩＤ）、情報媒体ＩＤ（ＩＩＤ）をサーバーに送信しているがこれに限られるものではなく先ほどと同様に必要に応じてどの近接無線通信装置かを特定する近接無線通信装置ＩＤ（ＳＩＤ）、アクセスした時間、あるいは近接無線通信装置に温度、気圧等の天候情報センサーを設けておきこのセンサーが感知した天候情報、交通量センサーを設けておきこのセンサーが感知した交通量情報といった情報近接無線通信装置に予め登録しておいた地域情報をアクセス情報と共に送信してもよい。こうすることにより情報媒体が広告の場合サーバーではいつどこでだれがどの広告に興味を持ったかといった分析することが可能となる。
【００５３】
次は情報媒体ＩＤではなく情報媒体の情報データを送る場合の例を説明するがその様子は図１０に示した。前述と同様にユーザーの近接無線端末（図１、３の１０９）端末ＩＤ（ＵＩＤ）は近接無線通信装置（図１、３の１０６）のＲＦＩＤリーダー（図３、４の３０９）により読み込まれるがその流れは１００１である。ポスターに設けられさらに情報を格納しているＲＦＩＤ（図３、４の３０７）は近接無線通信装置（図１、３の１０６）のＲＦＩＤリーダー（図３、４の３０５）により情報データを読み込まれるがその流れは１００２である。
【００５４】
この情報媒体の情報データとユーザー近接無線端末（ＵＩＤ）は近接無線通信装置（図１、３の１０６）から現場管制装置（図１、３の１０３）に送信されるがこの流れは１００３である。そして現場管制装置からサーバー（図１の１０１）に送信されるがこれは１００４である。もちろんここで近接無線通信装置からのアクセスもサーバーで取得できるように近接無線通信装置のＩＤを近接無線通信装置から送信してもよい。またここでも現場管制装置のはぶき直接近接無線通信装置から公衆無線回線を通じてサーバーに送信してもよい。
【００５５】
次に情報データをユーザーの近接無線端末に書き込む場合を図１１に示す。先ほどと同様にポスターに設けられているＲＦＩＤ（図３、４の３０７）は近接無線通信装置（図１、３の１０６）のＲＦＩＤリーダー（図３、４の３０５）により情報媒体ＩＤ（ＩＩＤ）を読み込まれるがその流れは１１０１である。
【００５６】
情報媒体ＩＤ（ＩＩＤ）を近接無線通信装置（図１、３の１０６）から現場管制装置（図１、３の１０３）に送信されるがこの流れは１１０２である。そして現場管制装置からサーバー（図１のＸ０１）に送信されるがこれは１１０３である。そしてサーバーに情報媒体ＩＤ（ＩＩＤ）と情報データのテーブルを設けておけばよいがその様子を図１２に示したが、このテーブルから該当情報媒体ＩＤ（ＩＩＤ）から情報データを読み出す。サーバーから逆にこの情報データーを現場管制装置に１１０４のように送り、さらに近接無線通信装置に情報データを１１０５のように送り近接無線通信装置に蓄積する。そしてユーザーの近接無線端末がアクセスした際に情報データを１１０６で送信する。こうすることに
よりユーザーがアクセスした広告データがユーザーの近接端末に蓄積される。またここでも現場管制装置をはぶき直接近接無線通信装置から公衆無線回線を通じてサーバーに送信しさらに該当情報をサーバーから直接近接無線通信装置に送信してもよい。
【００５７】
次にサーバーに接続せずスタンドアロンでユーザーの近接無線端末と近接無線通信装置の場合について説明するがその様子を図１３に示した。広告などの情報媒体は頻繁に更新されるので情報媒体に識別子を設けておけばよい。ここで１３０６はポスターである情報媒体であり、１３０７はミューチップからなるＲＦＩＤの識別子で、近接無線通信装置１３０１に設けられたＲＦＩＤリーダー１３０５のより読み込まれる。これにより情報媒体１３０６の情報でータが近接無線通信装置の処理部１３０２に読み込まれ蓄積される。ユーザーがユーザーの近接無線端末１３０４をアクセスすると近接無線通信装置１３０１に設けられた近接無線リーダーライター１３０３によりユーザーの近接無線端末１３０４に情報データが書き込まれる。ポスター等の様子は先ほどの説明と同様のものを使えばよい（図３）。
【００５８】
この場合の情報の流れの様子を図１４に示すが、ここで図１３のポスター１３０６のＲＦＩＤである１３０７の情報データを近接無線通信装置１３０１のＲＦＩＤリーダー１３０５に読み込まれる流れが１４０１である。そしてこうすることにより情報媒体のデータがユーザーの近接無線端末に蓄積される。ここで情報データは商品情報、サービス情報あるいはインターネットのアドレス情報といった情報でもよくまたさらに情報媒体ＩＤでもよい。情報媒体ＩＤの場合にはユーザーの近接無線端末を別の装置例えば自宅、オフィスのパソコンあるいは等に接続し該当のサイトに行き該当情報媒体ＩＤに対応する必要な情報にアクセスすればよくあるいは携帯電話で読み取った場合直接携帯電話からサイトにアクセスすればよい。
【００５９】
次にユーザーの近接無線端末ではなく、近接無線通信装置に情報を蓄積する場合について説明するが、その様子を図１５に示す。ユーザーがこの情報にアクセスしたい場合にはユーザー近接無線端末を近接無線通信装置にアクセスすればよく、図１３の近接無線端末１３０４をアクセスすると近接無線通信装置１３０１に設けられた近接無線リーダーライター１３０３によりユーザー近接無線端末１３０４のユーザーＩＤ（ＵＩＤ）が読み込まれるがこの流れが１５０１である。図１３のポスター１３０６のＲＦＩＤである１３０７を近接無線通信装置１３０１のＲＦＩＤリーダー１３０５に読み込まれる流れが１５０２である。そしてこの情報データは近接無線通信装置処理部１３０２に読み込まれ蓄積される。そしてこのユーザーＩＤ（ＵＩＤ）は情報データとセットで近接無線通信装置処理部１３０２に読み込まれ蓄積される。この蓄積されたユーザーＩＤ（ＵＩＤ）と情報データのセットは必要に応じて近接無線通信装置１３０１から読み出し使用すればよい。ここでは情報媒体の識別子のデータは情報データであったが、情報媒体ＩＤ（ＩＩＤ）でもよい。
【００６０】
情報媒体の識別子が２次元コードの場合を説明するが、図１６はポスター広告である情報媒体と２次元コードであるＱＲコードからなる識別子および２次元コード読み取り部を含む近接無線通信装置を説明した図である。ここで１６０１はポスターを貼るパネルであり、近接無線通信装置１６０５を設置してあり、１６０２はポスターでその一部にＱＲコード１６０４部がある。
【００６１】
そして近接無線通信装置１６０５には光学読み取り部があり、その様子は図１６の一部１６０５の部分の断面を図１７に示したが、１７０１はポスターを貼るパネルであり１７０２はポスターで１７０４はポスター上に印刷されたＱＲコードである。ポスターが更新されると１７０１のカメラによりＱＲコード画像を読み取り解析し識別子を読み込む。ここではポスターの表面にＱＲコードが印刷されているが裏に印刷してもよくあるいはバーコード等他の印刷識別しでもよい。
【００６２】
次に情報媒体がポスター以外の場合について説明していくが図１８は電車内の中吊広告の例である。ここで１８０９は中吊広告を吊るす中吊棒であり、１８０１および１８０２は中吊広告である。そしてこの中吊棒は、近接無線通信装置内蔵しており、１８０５および１８０６は中吊広告の一部にミューチップＲＦＩＤ１８０７部、１８０８部がある。このＲＦＩＤをリーダー部１８０５、１８０６により情報媒体である中吊広告の識別子を読み取ることによって情報媒体を識別することが可能となる。
【００６３】
ユーザーは電車内で興味のある中吊広告を見て興味を持った場合には例えばその広告が雑誌である時にはユーザーの近接無線端末が携帯電話等で電子財布を兼ねさらに閲覧機能を有している場合にはその場で購入処理といったことも可能であり、近接無線通信装置から該当情報をユーザーの近接無線端末に送信すればよい。このときの雑誌等の情報の流れは図１１のようであればよい。あ・BR>驍「は予めサーバーに該当ユーザーのメールアドレ
スを登録しておけばサーバーから情報あるいは情報のＵＲＬをメールで該当ユーザーに送信処理ということも可能である。あるいは予め中吊広告の雑誌のコンテンツ情報あるいは情報ＵＲＬを近接無線通信装置蓄積しておき、購入処理されたときユーザーの携帯電話等に送信してもよい。
【００６４】
図１９は学校教室の入退出チェックの場合である。ここで１９０１は出入り口、１９０２は扉、１９０３は近接無線通信装置であり、１９０７は情報媒体でクラスを示すクラス表示ボードである。１９０６はＲＦＩＤであり、クラス表示ボード１９０７に内蔵している。１９０５は近接無線通信装置１９０３に接続されたＲＦＩＤリーダーでありこれでクラス表示ボードの識別子を読み込む。クラス表示ボードを更新しても内蔵されたあらたなＲＦＩＤにより常に現在のクラス表示ボードと一致した情報媒体ＩＤを読み込むことが可能となる。クラスの生徒は自分の近接無線端末を近接無線通信装置の近接無線接続部１９０４にかざすことにより入退室アクセスが可能となる。
【００６５】
この場合生徒が例えば下校する際に教室を出る時に近接無線端末でアクセスした情報をサーバーで処理し父兄にメールで下校を伝えるといった処理が可能となる。これは教室に限らず校門といった場所あるいは塾などの入室退出にも適用できる。
【００６６】
図２０はタイムカードの場合である。ここで２００１は出入り口、２００２は扉、２００３は近接無線通信装置であり、２００７は情報媒体でタイムカードの案内表示ボードである。２００６はＲＦＩＤであり、案内表示ボード２００７に内蔵している。２００５は近接無線通信装置２００３に接続されたＲＦＩＤリーダーでありこれでタイムカード表示ボードの識別子を読み込む。例えば部署等が変わってタイムカード表示ボードを更新しても内蔵されたあらたなＲＦＩＤにより常に現在の現在の部署のタイムカード表示ボードと一致した情報媒体ＩＤを読み込むことが可能となる。２００８は近接無線通信装置に内蔵した時計であり○部門の人が自分の近接無線端末を近接無線通信装置の近接無線接続部２００４にかざすと内蔵時計２００８によりタイムスタンプされる。そしてこのタイムスタンプ付き情報がサーバーに送付される。
【００６７】
サーバーでは該当者の出退勤等の集計処理をするといった処理も考えられる。特に本発明の場合にはこのシステムの設置が容易であるのでイベント会場、工事現場といった場所での出退勤等のアクセス情報により出退勤等の集計処理がサーバーで可能となり現場での処理の必要がなくなる。
【００６８】
次にアンケートボードの例を図２１に示すが、この時近接無線通信装置に複数の近接無線接続部を設置している。ここでアンケートボード２１０１にはアンケートＡ，Ｂ，Ｃの３つの選択肢がり、それぞれ情報媒体Ａ：２１０５、情報媒体Ｂ：２１０１０、情報媒体Ｃ
：２１１５のポスターであり、それぞれに識別子  Ａ：２１０６、Ｂ：２１１１、Ｃ：２１１６を設けてある。アンケートボード２１０１は３つの近接無線接続部を持っておりポスターＡが貼られる部分には情報媒体識別子リーダー部２１０４と近接無線リーダーライター部２１０３から構成される２１０２、ポスターＢが貼られる部分には情報媒体識別子リーダー部２１０９と近接無線リーダーライター部２１０８から構成される２１０７、ポスターＣが貼られる部分には情報媒体識別子リーダー部２１１４と近接無線リーダーライター部２１１３から構成される２１１２の３つの部分からなっている。ユーザーはＡ，Ｂ，Ｃの中から自分の興味の引く部分の近接無線リーダーライター部にアクセスすればよい。
【００６９】
このように識別子を設けたポスターを貼ることによるだけでアンケートボードが構成されユーザーの選択のアクセスがサーバーでリアルタイムに把握することが可能となる。
【００７０】
次にアルバイトの勤怠管理の例を説明するがその概要は図２２に示した。ここで２２０１は近接無線装置であり、それぞれ「出勤ボード」２２０２、「退勤ボード」２２０３、休憩に入るを表す「休憩入ボード」２２０４、休憩が終わるを表す「休憩終ボード」２２０５を取り付けてある。２２０６、２２０７、２２０８、２２０９はそれぞれ出勤、退勤、休憩入、休憩終の時アルバイトのカードをかざすリーダーである。このＡ−Ａ断面を図２３に示したが、２２０１は近接無線装置であり、２２０２は「出勤ボード」で「出勤ボード」の識別子ＲＦＩＤ２３０２を搭載している。２３０１はＲＦＩＤリーダーであり、２２０６はユーザーの近接無線端末のリーダーである。例えばアルバイトが出勤の場合「出勤ボード」の下の近接端末リーダーに自分の非接触ＩＣカードである近接端末（非接触ＩＣを搭載した携帯電話でもよい）のアクセスがあった際には２２１０の基地局を通じて２２１１のサーバーにユーザーＩＤと「出勤ボード」のＩＤが時間と共に送信されサーバーに蓄積される。サーバーでは一定期間のデーターを演算し勤怠の結果を２２１２の企業に送信する。それぞれのアルバイトの近接無線端末の登録、それぞれの「出勤ボード」、「退勤ボード」、「休憩入ボード」、「休憩終ボード」を店、場所ごとにＲＦＩＤも含めて登録しておけば店、場所別に勤怠管理の演算が可能となる。状況が変わった場合識別子であるＲＦＩＤ付きボードを換えればよい。
【００７１】
次に進捗状況を把握可能な現場の工程管理の例を説明するがその概要は図２４に示した。ここで２４０１は近接無線装置であり、それぞれ工程５０％終了時示す「工程５０％ボード」２４０２、工程７０％終了時示す「工程７０％ボード」２４０３、工程９０％終了時示す「工程９０％ボード」２４０４、工程終了時示す「工程修了ボード」２４０５を取り付けてある。２４０６、２４０７、２４０８、２４０９はそれぞれ工程５０％終了時、工程７０％終了時、工程９０％終了時、工程終了時の時現場担当者のカードをかざすリーダーである。この構造は前述のアルバイト勤怠管理の例と同様である。工事担当者はそれぞれ工程別に工程Ａの担当者は工程Ａの近接無線端末２４１４を持ち、工程Ｂの担当者は工程Ｂの近接無線端末２４１５を持ち、工程Ｃの担当者は工程Ｃの近接無線端末２４１６を持っている。例えば工程Ａが工程の９０％修了したら工程Ａの担当者は工程９０％終了時示す「工程９０％ボード」の下の近接無線端末リーダーに該当の工程Ａの非接触ＩＣカードである近接無線端末（非接触ＩＣを搭載した携帯電話でもよい）をかざしアクセスする。アクセスがあった際には２４１０の基地局を通じて２４１１のサーバーに担当者のＩＤと「工程９０％ボード」のＩＤが時間と共に送信されサーバーに蓄積される。サーバーではその結果を会社２４１３及び工程Ａの次工程担当者２４１２に送信する。工程の状況がすなわち進捗度が他の場合例えば６０％などを知りたい場合識別子であるＲＦＩＤ付きボードを「工程６０％ボード」と取り替えればよい。
【００７２】
次に現場の複数の工程管理の修了1時間前の通知の例を説明するがその概要は図２５に示
した。ここで２５０１は近接無線装置であり、それぞれ工程Ａの終了1時間前を示す「工
程Ａボード」２５０２、工程Ｂの終了1時間前を示す「工程Ｂボード」２５０３、工程Ｃ
の終了1時間前を示す「工程Ｃボード」２５０４、工程Ｄの終了1時間前を示す「工程Ｄボード」２５０５を取り付けてある。２５０６、２５０７、２５０８、２５０９はそれぞれ工程Ａ終了1時間前、工程Ｂの終了1時間前、工程Ｃの終了１時間前、工程Ｄの終了1時間
前に時現場担当者が近接無線端末であるカードをかざすリーダーである。この構造は前述のアルバイト勤怠管理の例と同様である。工事担当者が例えば工程Ａ％終了１時間前を示す「工程Ａボード」の下の近接無線端末リーダーに該当の非接触ＩＣカードである近接無線端末（非接触ＩＣを搭載した携帯電話でもよい）のアクセスがあった際には２５１０の基地局を通じて２１１のサーバーに「工程Ａボード」のＩＤが時間と共に送信されサーバーに蓄積される。サーバーではその結果を会社２５１３及び次工程担当者２５１２に送信する。他の工程の状況が知りたい場合前述と同様に識別子であるＲＦＩＤ付き工程ボードを取り替えればよい。
【００７３】
次に展示会の資料集めに応用する場合について説明するが、その様子を図２６に示した。展示会に来た人２６０４は自分の非接触ＩＣカードである近接無線端末２６０４（非接触ＩＣ機能付き携帯電話でもよい）を２６０１にてサーバーのデータベース２６１３に２６１０で登録処理する。その時展示会で集める資料の処理、例えば自分のパソコンに送信してもらうといったことも含めて登録処理する。２６０５は展示ブースであり、２６０６は展示品で２６０７の展示品名ボードがありこれには識別子ＲＦＩＤが設けてある。２６０８は近接無線端末リーダーＡシステムであり、展示会に参加した人が興味を持った際にはこの展示品の下部の２６０８の近接無線端末リーダーに自分の近接無線端末２６０４をタッチする。するとＡシステムの展示ＩＤと該当者の近接無線端末２６０４のＩＤがサーバーのデータベース２６１３に２６１１で登録処理するがその流れが２６０２である。次にデータベース２６１３からの該当者の情報と展示品ＩＤを２６１２で収集し、展示品情報データベースである２６１４から該当展示品情報を引き出し、展示会参加者２６０４のパソコン２６０９に興味ある展示会の展示物の詳しい情報が送信されるがこの流れが２６０３である。識別子付き展示品名ボードを換えることにより容易に展示物が変わっても対応可能となる。
【００７４】
次に学校のバス遠足等の場合の人員点呼に応用した場合の説明をするがその様子は図２７に示した。２７０１は遠足のバスであり、バスの入り口に２７０３の近接無線装置が設けてある。２７０４はＡ小学校遠足を示す情報ボードであり識別子であるＲＦＩＤが設置してあり、２７０５は近接無線端末のリーダーである。２７１０、２７１１は生徒であり、それぞれ自分の非接触ＩＣカードである近接無線端末を２７０２を持っている。集合時には生徒はバスの入り口に設けられた２７０３の近接無線装置の２７０５は近接無線端末のリーダーにそれぞれの近接無線端末２７０２をタッチしていく。すると生徒の近接無線端末のＩＤとＡ小学校の遠足のＩＤが公衆無線回線で基地局２７０６を通じてサーバー２７０５に送信される。サーバーではこの情報を解析し、バスに乗っていない子の有無を演算し、その結果およびバスに乗っていない子がいたらその子とを学校２７０８および引率の先生２７０９の携帯端末に送信する。引率の先生はリアルタイムで人員把握が可能となり、さらにクラス等が変わった場合ＲＦＩＤ付き識別子情報ボードを換えればよい。前述のようにすれば人員点呼が容易になりさらに他の観光といった分野の点呼にも応用可能となる。
【００７５】
前述のように情報媒体に識別子を設けた場合の説明したが、予め決まった情報媒体の場合について説明する。図２８はそのブロック図であり、ＺｉｇＢｅｅ近距離無線の送受信部１０７は現場管制装置１０３と接続する送受信部で、ユーザーの近接無線端末１０９は近接無線端末接続部１０８により接続される。２８０２は近接無線通信装置の処理部でありそれぞれ近距離無線の送受信部１０７と現場管制装置１０３に接続されており、必要な処理を行う。ここでの情報媒体は識別子を情報媒体に付属していない場合であり、予め決め
られた情報媒体を決められた場所の近接無線通信装置にセットすればよい。
【００７６】
前述したように普及している近接無線端末を使うことにより新たな投資をせずにユーザーが情報媒体にアクセス可能となり、さらに近接無線という仕組みからかなり近傍でなければアクセス不可となるためユーザーの意思が１対１で確実に伝えることが可能となる。そしてこのアクセス情報を無線を使いサーバーに接続することにより複雑な配線工事といったものが不要となり簡単にかつ安価に現場に装置を設置することが可能とる。ポスターなど広告といった視覚的にユーザーに情報を知らせる情報媒体に識別子を設けることにより情報媒体を交換してもすぐに識別子によって新たな情報媒体の情報を電子的に更新可能となる。広告以外の分野でも視覚情報媒体を交換しても、該当の視覚情報媒体に対応する識別子が設けてあるので視覚情報媒体と情報が不一致となることはなく、間違いなく該当情報が送られる。
そしてこの装置、システムは前述の例だけでなくいろいろな分野での適用が可能となるため同様の形式での大量生産、設置が可能となり安価で簡便に供給することが可能となる。
【図面の簡単な説明】
【００７７】
【図１】全体のブロックロック図
【図２】現場管制装置
【図３】近接無線通信装置
【図４】ポスターに設けられたＲＦＩＤの説明図
【図５】情報の流れ
【図６】情報媒体ＩＤ読み込みのフロー
【図７】他の情報の流れ
【図８】近接無線通信装置から直接サーバーに送る場合のブロック図
【図９】近接無線通信装置から直接サーバーに送る場合の情報の流れ
【図１０】情報データを送る場合の情報の流れ
【図１１】他の場合の情報データを送る場合の情報の流れ
【図１２】情報データと情報媒体ＩＤの対照表
【図１３】近接無線通信装置スタンドアロンの場合の構成
【図１４】近接無線通信装置スタンドアロンの場合の情報の流れ
【図１５】近接無線通信装置スタンドアロンの場合の他の情報の流れ（
【図１６】ポスターの識別子が２次元コード
【図１７】ポスター２次元コードの読み取り部
【図１８】中吊広告の場合の構成
【図１９】教室の場合
【図２０】タイムカードの場合
【図２１】アンケートの場合
【図２２】アルバイトの勤怠管理の場合
【図２３】アルバイトの勤怠管理の場合近接無線装置の断面
【図２４】工程の進捗状況を把握できる工程管理の場合
【図２５】工程別工程管理の場合
【図２６】展示会の場合
【図２７】学校の遠足の人員点呼の場合
【図２８】予め決められた近接無線通信装置の場合
【図１】
2010244522.tif 000003
【図２】
2010244522.tif 000004
【図３】
2010244522.tif 000005
【図４】
2010244522.tif 000006
【図５】
2010244522.tif 000007
【図６】
2010244522.tif 000008
【図７】
2010244522.tif 000009
【図８】
2010244522.tif 000010
【図９】
2010244522.tif 000011
【図１０】
2010244522.tif 000012
【図１１】
2010244522.tif 000013
【図１２】
2010244522.tif 000014
【図１３】
2010244522.tif 000015
【図１４】
2010244522.tif 000016
【図１５】
2010244522.tif 000017
【図１６】
2010244522.tif 000018
【図１７】
2010244522.tif 000019
【図１８】
2010244522.tif 000020
【図１９】
2010244522.tif 000021
【図２０】
2010244522.tif 000022
【図２１】
2010244522.tif 000023
【図２２】
2010244522.tif 000024
【図２３】
2010244522.tif 000025
【図２４】
2010244522.tif 000026
【図２５】
2010244522.tif 000027
【図２６】
2010244522.tif 000028
【図２７】
2010244522.tif 000029
【図２８】
2010244522.tif 000030